(57)【要約】【課題】レンズ枠の衝突音を効果的に抑制しつつレンズ鏡筒の小型化を図る上で有利なレンズ鏡筒および撮像装置を提供する。【解決手段】流路７０は、第１の固定レンズ枠２２が可動レンズ枠３２に臨む箇所と、可動レンズ枠３２が第１の固定レンズ枠２２に臨む箇所に、互いに近接してそれらの間に介在した空気を逃がす際に空気の流動抵抗を生じさせるように設けられている。流路７０は、第１の固定レンズ枠２２と可動レンズ枠３２が互いに近接した際に、第１の固定レンズ２０と可動レンズ３０との間に介在した空気も通過するように設けられている。【選択図】図９
2006349737.tif 000002
【特許請求の範囲】
【請求項１】
鏡筒に設けられ被写体像を撮像素子に導く光学系を有し、
前記光学系は、第１レンズを保持する第１レンズ枠と、第２レンズを保持する第２レンズ枠を備え、
前記第１レンズ枠と第２レンズ枠は光軸方向において相対的に移動可能に設けられたレンズ鏡筒であって、
前記第１レンズ枠が前記第２レンズ枠に臨む箇所と、前記第２レンズ枠が前記第１レンズ枠に臨む箇所に、互いに近接してそれらの間に介在した空気を逃がす際に空気の流動抵抗を生じさせる流路が設けられている、
ことを特徴とするレンズ鏡筒。
【請求項２】
前記流路は、前記第１レンズ枠が前記第２レンズ枠に臨む箇所と、前記第２レンズ枠が前記第１レンズ枠に臨む箇所において、前記第１レンズおよび前記第２レンズの外周部の全周にわたり前記第１レンズおよび前記第２レンズの半径方向外方に延在していることを特徴とする請求項１記載のレンズ鏡筒。
【請求項３】
前記第１レンズ枠と前記第２レンズ枠は、前記第１レンズ枠と第２レンズ枠が互いに近接した際に、前記第１レンズと前記第２レンズとの間に介在した空気も前記流路に逃がすように設けられていることを特徴とする請求項１記載のレンズ鏡筒。
【請求項４】
前記流路は、前記第１レンズ枠が前記第２レンズ枠に臨む箇所と、前記第２レンズ枠が前記第１レンズ枠に臨む箇所において、前記第１レンズおよび前記第２レンズの光軸方向に前進および後進を繰り返しつつ前記第１レンズおよび前記第２レンズの半径方向外方に延在していることを特徴とする請求項１記載のレンズ鏡筒。
【請求項５】
前記流路は、前記第１レンズ枠が前記第２レンズ枠に臨む箇所と、前記第２レンズ枠が前記第１レンズ枠に臨む箇所において、前記第１レンズおよび前記第２レンズの光軸方向に前進および後進を繰り返しつつ前記第１レンズおよび前記第２レンズの外周部の全周から前記第１レンズおよび前記第２レンズの半径方向外方に延在していることを特徴とする請求項１記載のレンズ鏡筒。
【請求項６】
前記流路は、前記第１レンズ枠が前記第２レンズ枠に臨む箇所と、前記第２レンズ枠が前記第１レンズ枠に臨む箇所において、前記第１レンズおよび前記第２レンズの外周部から半径方向外方に延在し、前記流路が前記半径方向の最も外方に位置する部分で該流路を形成する前記第１レンズ枠および前記第２レンズ枠の壁面は、互いに当接するストッパ面として形成されていることを特徴とする請求項１記載のレンズ鏡筒。
【請求項７】
前記流路は、前記第１レンズおよび第２レンズの光軸を中心として円筒状に延在し、前記第１レンズ枠と前記第２レンズ枠とが近づくにつれ流路長が次第に大きくなる円筒状の隙間を含んで構成されていることを特徴とする請求項１記載のレンズ鏡筒。
【請求項８】
前記流路は、前記第１レンズおよび第２レンズの光軸と直交する面上を延在し、前記第１レンズ枠と前記第２レンズ枠とが近づくにつれ流路断面が次第に小さくなる前記光軸を中心とした環板状の隙間を含んで構成されていることを特徴とする請求項１記載のレンズ鏡筒。
【請求項９】
前記流路は、前記第１レンズおよび第２レンズの光軸を中心とする円錐面上を延在し、前記第１レンズ枠と前記第２レンズ枠とが近づくにつれ流路断面が次第に小さくなる前記光軸を中心とした筒状の隙間を含んで構成されていることを特徴とする請求項１記載のレンズ鏡筒。
【請求項１０】
鏡筒に設けられ被写体像を撮像素子に導く光学系を有し、
前記光学系は、可動レンズを保持する可動レンズ枠を備え、
前記可動レンズ枠は筒体内で光軸方向に移動されるレンズ鏡筒であって、
前記可動レンズ枠は、前記筒体の内周面に臨む外周部を備え、
前記筒体の内周面と前記外周部との間に、前記可動レンズ枠が光軸方向に移動されて前記可動レンズ枠が近づく側の前記筒体内の空気を逃がす際に空気の流動抵抗を生じさせる流路が設けられている、
ことを特徴とするレンズ鏡筒。
【請求項１１】
鏡筒に設けられた撮像素子と、前記鏡筒の内部で被写体像を前記撮像素子に導く光学系とを有するレンズ鏡筒を備え、
前記光学系は、第１レンズを保持する第１レンズ枠と、第２レンズを保持する第２レンズ枠を備え、
前記第１レンズ枠と第２レンズ枠は光軸方向において相対的に移動可能に設けられた撮像装置であって、
前記第１レンズ枠が前記第２レンズ枠に臨む箇所と、前記第２レンズ枠が前記第１レンズ枠に臨む箇所に、互いに近接してそれらの間に介在した空気を逃がす際に空気の流動抵抗を生じさせる流路が設けられている、
ことを特徴とする撮像装置。
【請求項１２】
鏡筒に設けられた撮像素子と、前記鏡筒の内部で被写体像を前記撮像素子に導く光学系とを有するレンズ鏡筒を備え、
前記光学系は、可動レンズを保持する可動レンズ枠を備え、
前記可動レンズ枠は筒体内で光軸方向に移動されるように構成された撮像装置であって、
前記可動レンズ枠は、前記筒体の内周面に臨む外周部を備え、
前記筒体の内周面と前記外周部との間に、前記可動レンズ枠が光軸方向に移動されて前記可動レンズ枠が近づく側の前記筒体内の空気を逃がす際に空気の流動抵抗を生じさせる流路が設けられている、
ことを特徴とする撮像装置。
【発明の詳細な説明】
【技術分野】
【０００１】
本発明はレンズ鏡筒および撮像装置に関する。
【背景技術】
【０００２】
デジタルスチルカメラやデジタルビデオカメラ等の撮像装置にはレンズ鏡筒が設けられている。
このようなレンズ鏡筒は、被写体像を撮像する撮像素子の前方箇所に、被写体像を撮像素子に導くレンズと、レンズを保持しそのレンズの光軸方向に延在するガイド軸に沿って移動可能に設けられレンズ枠と、レンズ枠を光軸方向に移動させる駆動機構とを有し、これらレンズ、レンズ枠、駆動機構が鏡筒内部に配設されている。
このような駆動機構としてリニアモータを用いたレンズ鏡筒が提案されている（特許文献１参照）。
すなわち、このレンズ鏡筒では、マグネットとヨークで構成された磁気回路を固定子として鏡筒に設け、コイルを可動子としてレンズ枠に設け、コイルに電流を流すことによりコイルと前記磁気回路との間で磁気相互作用を生じさせることによってレンズ枠を光軸方向に移動させるようにしている。
【特許文献１】特開平１１−１５０９７２号公報
【発明の開示】
【発明が解決しようとする課題】
【０００３】
上述した従来のレンズ鏡筒では、コイルに対する電流供給を停止した状態ではコイルと磁気回路との間に作用する磁気相互作用が失われるため、レンズ枠はガイド軸に沿って自由に移動できる状態となる。
したがって、使用者が手に持った撮像装置を揺り動かしたり、撮像装置の姿勢を急に変えたりすると、レンズ枠が隣接する他のレンズ枠と衝突して衝突音が発生する場合がある。
このような衝突音は、使用者にとって耳障りであるばかりで無く故障が発生したと判断されるおそれがあるため、その衝突音の発生を如何に抑制するかが問題となる。
このような問題を解消するため、一方のレンズ枠にゴム製のクッションを設け、他方のレンズ枠がこのクッションに当接することで衝突音の発生を回避することも考えられるが、クッションを設けた場合には、鏡筒内の光軸方向において、レンズ枠の光軸方向のストロークに加え、クッションの厚み分を確保しなければならず、レンズ鏡筒の光軸方向の寸法が拡大し、レンズ鏡筒の小型化を図る上で不利である。
本発明はこのような事情に鑑みなされたもので、その目的はレンズ枠の衝突音を効果的に抑制しつつレンズ鏡筒の小型化を図る上で有利なレンズ鏡筒および撮像装置を提供することにある。
【課題を解決するための手段】
【０００４】
上述の目的を達成するため、本発明は、鏡筒に設けられ被写体像を撮像素子に導く光学系を有し、前記光学系は、第１レンズを保持する第１レンズ枠と、第２レンズを保持する第２レンズ枠を備え、前記第１レンズ枠と第２レンズ枠は光軸方向において相対的に移動可能に設けられたレンズ鏡筒であって、前記第１レンズ枠が前記第２レンズ枠に臨む箇所と、前記第２レンズ枠が前記第１レンズ枠に臨む箇所に、互いに近接してそれらの間に介在した空気を逃がす際に空気の流動抵抗を生じさせる流路が設けられていることを特徴とする。
また、本発明は、鏡筒に設けられ被写体像を撮像素子に導く光学系を有し、前記光学系は、可動レンズを保持する可動レンズ枠を備え、前記可動レンズ枠は筒体内で光軸方向に移動されるレンズ鏡筒であって、前記可動レンズ枠は、前記筒体の内周面に臨む外周部を備え、前記筒体の内周面と前記外周部との間に、前記可動レンズ枠が光軸方向に移動されて前記可動レンズ枠が近づく側の前記筒体内の空気を逃がす際に空気の流動抵抗を生じさせる流路が設けられていることを特徴とする。
また、本発明は、鏡筒に設けられた撮像素子と、前記鏡筒の内部で被写体像を前記撮像素子に導く光学系とを有するレンズ鏡筒を備え、前記光学系は、第１レンズを保持する第１レンズ枠と、第２レンズを保持する第２レンズ枠を備え、前記第１レンズ枠と第２レンズ枠は光軸方向において相対的に移動可能に設けられた撮像装置であって、前記第１レンズ枠が前記第２レンズ枠に臨む箇所と、前記第２レンズ枠が前記第１レンズ枠に臨む箇所に、互いに近接してそれらの間に介在した空気を逃がす際に空気の流動抵抗を生じさせる流路が設けられていることを特徴とする。
また、本発明は、鏡筒に設けられた撮像素子と、前記鏡筒の内部で被写体像を前記撮像素子に導く光学系とを有するレンズ鏡筒を備え、前記光学系は、可動レンズを保持する可動レンズ枠を備え、前記可動レンズ枠は筒体内で光軸方向に移動されるように構成された撮像装置であって、前記可動レンズ枠は、前記筒体の内周面に臨む外周部を備え、前記筒体の内周面と前記外周部との間に、前記可動レンズ枠が光軸方向に移動されて前記可動レンズ枠が近づく側の前記筒体内の空気を逃がす際に空気の流動抵抗を生じさせる流路が設けられていることを特徴とする。
【発明の効果】
【０００５】
本発明によれば、使用者が手に持った撮像装置を揺り動かすなどして、第１、第２のレンズ枠の一方のレンズ枠が他方のレンズ枠に対して高速で近接した場合、流路を通る空気の流動抵抗によってレンズ枠の速度が減速されるため、レンズ枠同士の衝撃が緩和され衝撃音の発生を効果的に抑制でき、使用者に耳障りな音を与えたり、故障と思わせたりすることを防止する上で有利となる。
また、レンズ枠に衝撃を吸収するためのクッションを設ける場合と違って、光軸方向におけるクッションの厚みを確保する必要が無いため、レンズ鏡筒の光軸方向の小型化を図る上で有利である。
【発明を実施するための最良の形態】
【０００６】
（第１の実施の形態）
次に第１の実施の形態について図面を参照して説明する。
図１は第１の実施の形態の撮像装置の斜視図、図２は第１の実施の形態の撮像装置の構成を示すブロック図である。
図１に示すように、第１の実施の形態の撮像装置１００はデジタルスチルカメラであり、外装を構成するケース１０２を有している。
ケース１０２の前面右側部寄りの箇所には撮影光学系１０４（特許請求の範囲の光学系に相当）を収容保持するレンズ鏡筒１０が設けられている。
撮影光学系１０４は、最も前方に（被写体側に）に配置された対物レンズ１００２を含む複数のレンズを備えている。
ケース１０２の前面上部寄りの箇所には閃光を発光するフラッシュ部１０６、光学式ファインダの対物レンズ１０８などが設けられている。
ケース１０２の上端面にはシャッタボタン１１０が設けられ、ケース１０２の後面には、前記光学式ファインダの接眼窓（不図示）、電源のオンオフ、撮影モード、再生モードの切替など種々の操作を行なうための複数の操作スイッチ１１２、撮像した映像を表示するディスプレイ１１４（図２）などが設けられている。
【０００７】
図２に示すように、レンズ鏡筒１０の後部には、撮影光学系１０４によって結像された被写体像を撮像するＣＣＤやＣＭＯＳセンサなどで構成された撮像素子１１６が配設され、撮像装置１００は、撮像素子１１６から出力された撮像信号に基づいて画像データを生成し、メモリカードなどの記憶媒体１１８に記録する画像処理部１２０、前記画像データをディスプレイ１１４に表示させる表示処理部１２２、操作スイッチ１１２やシャッタボタン１１０の操作に応じて画像処理部１２０、表示処理部１２２を制御するＣＰＵなどを含む制御部１２６などを備えている。
また、制御部１２６は後述する可動レンズ枠３２（図４）の移動制御も行う。
【０００８】
次に、レンズ鏡筒１０について説明する。
図３はレンズ鏡筒１０の一部を示す斜視図、図４は図３の断面図、図５、図６は可動レンズ枠、駆動機構、後側の固定レンズ枠の構成を示す斜視図、図７は可動レンズ枠、駆動機構の構成を示す斜視図である。
なお、本明細書の図面においては、レンズの表面あるいは各部材の表面、各部品の表面に複数の直線が描かれている箇所が存在しているが、これは作図上表示されているものであり、これら複数の直線が描かれた箇所は、実際には円筒面あるいは曲面あるいは球面をなしている箇所である。
レンズ鏡筒１０は、鏡筒と、鏡筒内に組み込まれた撮影光学系１０４とで構成され、図３、図４に示すように、前記鏡筒の内部には、円筒壁状の可動環１２が撮影光学系１０４（図１）の光軸方向に移動可能に組み込まれている。
可動環１２には、第１の固定レンズ２０、可動レンズ３０、第２の固定レンズ４０がこれらの順番で前方から後方に並べて前記光軸上に配置され、第１の固定レンズ２０と可動レンズ３０との間に流路７０（図９）が設けられている。
また、可動レンズ３０と第２の固定レンズ４０との間に流路８０（図１１）が設けられている。
なお、図３に示すように、第１の固定レンズ２０の前方には対物レンズ１００２が位置し、第２の固定レンズ４０の後方には撮像素子１１６が位置している。
また、図５乃至図７に示すように、可動環１２には、可動レンズ３０を光軸方向に移動させる可動レンズ用駆動機構５０が設けられている。
なお、対物レンズ１００２と第１の固定レンズ２０との間、および、第２の固定レンズ４０と撮像素子１１６との間には、説明を簡略化するため図示では省略されているが複数のレンズがそれぞれ配設されている。
【０００９】
可動環１２の内周で光軸方向の中間部には第１の固定レンズ枠２２が可動環１２と一体的に形成され、第１の固定レンズ枠２２に第１の固定レンズ２０が接着され保持されている。
可動環１２の光軸方向の後端には第２の固定レンズ枠４２が一体的に取着され、第２の固定レンズ枠４２に第２の固定レンズ４０が接着され保持されている。
【００１０】
可動レンズ３０は可動レンズ枠３２に保持されている。
可動レンズ枠３２の外周には可動レンズ３０を挟んで軸受部３４と係合部３６が設けられている。
可動環１２の内部には、光軸方向に延在するメインガイド軸６０とサブガイド軸６２が設けられており、各ガイド軸の両端は第１の固定レンズ枠２２と第２の固定レンズ枠４２に圧入などにより固定されている。
可動レンズ枠３２は、軸受部３４にメインガイド軸６０が挿通され、係合部３６にサブガイド軸６２が係合されることによって、前記光軸回りに回転不能にかつ前記光軸方向に沿って移動可能に設けられている。
【００１１】
図５乃至図７に示すように、可動レンズ用駆動機構５０は、コイル５００２、内ヨーク５００４、外ヨーク５００６、駆動マグネット５００８などを備えている。
コイル５００２は、可動レンズ枠３２の外周に接着により取着されており、光軸と平行な軸線回りに細長い矩形枠状に巻回されている。
内ヨーク５００４は光軸方向に延在する矩形板状に形成され、コイル５００２の中心孔を通り、光軸と平行をなすように長手方向の両端が第１の固定レンズ枠２２と第２の固定レンズ枠４２に圧入などにより固定されている。
外ヨーク５００６は、コイル５００２の外側で内ヨーク５００４と平行して延在する矩形板状に形成され、長手方向の両端から内ヨーク５００４に近接する方向に起立した起立壁５００６Ａが内ヨーク５００４の長手方向の両端に取着されている。
駆動マグネット５００８は、光軸方向に延在する矩形板状を呈し、外ヨーク５００６の２つの起立壁５００６Ａの間の面に磁力により吸着され固定されている。駆動マグネット５００８は、その厚さ方向の一方に位置する面がＮ極となり、他方に位置する面がＳ極となるように構成されている。
なお、外ヨーク５００６の各起立壁５００６Ａの内ヨーク５００４への取着は前記磁力によって各起立壁５００６Ａが内ヨーク５００４に吸着されることでなされている。
また、コイル５００２の巻線部分は、内ヨーク５００４と駆動マグネット５００８の間に形成された隙間に位置しており、内ヨーク５００４と駆動マグネット５００８の双方と接触しないように設けられている。
【００１２】
また、コイル５００２には、駆動信号を供給するためのフレキシブル基板５０１０が電気的に接続されており、前記制御部１２６によって制御される不図示のドライブ回路からフレキシブル基板５０１０を介して駆動信号がコイル５００２に供給されるようになっている。
また、可動レンズ枠３２の外周には、光軸方向に沿ってＮ極とＳ極が交互に位置するように磁気目盛りが形成されたＭＲマグネット５０１２が設けられ、このＭＲマグネット５０１２に臨む可動環１２の箇所には、ＭＲマグネット５０１２の磁気目盛りを検出して光軸方向における可動レンズ枠３２（可動レンズ３０）の位置を検出して位置検出信号を前記制御部１２６に供給する磁気抵抗素子を含むＭＲセンサ５０１４が設けられている。
また、可動レンズ枠３２の外周には、検知片５０１６が外方に突設され、検知片５０１６に臨む可動環１２の箇所には、検知片５０１６を検出することで光軸方向における可動レンズ枠３２（可動レンズ３０）の基準位置を検出して基準位置検出信号を前記制御部１２６に供給するフォトインタラプタ５０１８が設けられている。
【００１３】
したがって、前記制御部１２６が前記ドライブ回路を介して前記駆動信号をコイル５００２に供給すると、コイル５００２で発生した磁界と、内ヨーク５００４、外ヨーク５００６、駆動マグネット５００８によって構成される磁気回路の磁界と間で磁気相互作用が発生し、コイル５００２に対して光軸方向に沿って前方、あるいは、後方の力が発生し、可動レンズ枠３２が前方あるいは後方に移動される。
制御部１２６は、フォトインタラプタ５０１８からの基準位置検出信号と、ＭＲセンサ５０１４からの位置検出信号に基づいて前記駆動信号を制御することにより、可動レンズ枠３２の光軸方向の位置をサーボ制御するようになっている。
【００１４】
次に、流路７０について説明する。
図８は第１の固定レンズ枠２２に可動レンズ枠３２が近接した状態を示す説明図、図９は流路７０の構成を示す説明図、図１０は第１の固定レンズ枠２２に可動レンズ枠３２が当接した状態を示す説明図、図１１は第２の固定レンズ枠４２に可動レンズ枠３２が近接した状態を示す説明図である。
図９に示すように、流路７０は、第１の固定レンズ枠２２が可動レンズ枠３２に臨む箇所と、可動レンズ枠３２が第１の固定レンズ枠２２に臨む箇所に、互いに近接してそれらの間に介在した空気を逃がす際に空気の流動抵抗を生じさせるように設けられている。
第１の固定レンズ枠２２と可動レンズ枠３２は、第１の固定レンズ枠２２と可動レンズ枠３２が互いに近接した際に、第１の固定レンズ２０と可動レンズ３０との間に介在した空気も流路７０に通過させるように設けられている。
流路７０は、第１の固定レンズ枠２２が可動レンズ枠３２に臨む箇所と、可動レンズ枠３２が第１の固定レンズ枠２２に臨む箇所において、第１の固定レンズ２０および可動レンズ３０の光軸方向に前進および後進を繰り返しつつ第１の固定レンズ２０の外周部の全周から第１の固定レンズ２０および可動レンズ３０の半径方向外方に延在している。
詳細に説明すると、流路７０は、第１乃至第８の流路７１、７２、７３、７４、７５、７６、７７、７８を含んで構成されている。
第１の流路７１は、第１の固定レンズ枠２２が可動レンズ枠３２に臨む箇所と、可動レンズ枠３２が第１の固定レンズ枠２２に臨む箇所において、第１の固定レンズ２０の外周部の全周から第１の固定レンズ２０および可動レンズ３０の半径方向外方に環板状に広がるように形成されている。
第１の流路７１は、それらを構成する可動レンズ枠３２の壁面と第１の固定レンズ枠２２の壁面とが近づくにつれてその流路断面が次第に減少するように構成されている。したがって、可動レンズ枠３２の壁面と第１の固定レンズ枠２２の壁面とが近づくにつれて第１の流路７１を通る空気の流速が徐々に増大し、徐々に大きな流動抵抗を生じさせるように構成されている。
第２の流路７２は、第１の流路７１の半径方向外方の端部から第１の固定レンズ２０および可動レンズ３０の半径方向において予め設定された微小な寸法で光軸方向に沿って円筒状に延在形成され、第１の固定レンズ枠２２と可動レンズ枠３２とが互いに近づくにつれ流路長が次第に大きくなるように構成されている。
第２の流路７２は、第１の固定レンズ枠２２と可動レンズ枠３２とが互いに近づいてこの第２の流路７２が形成されると、第２の流路７２を通る空気の流速が増大することで、流動抵抗が急激に増大する。
そして、いったん第２の流路７２が形成された後、第１の固定レンズ枠２２と可動レンズ枠３２とがさらに近づいても、第２の流路７２の流路長は長くなるものの、第２の流路７２の流路断面が変化しないため、第２の流路７２を通る空気の流速はほとんど変化しないか、若干増加する程度である。
第３の流路７３は、第２の流路７２の後端から半径方向外方に環板状に広がるように形成されている。
第３の流路７３は、第１の流路７１と同様に、それらを構成する可動レンズ枠３２の壁面と第１の固定レンズ枠２２の壁面とが近づくにつれて徐々に大きな流動抵抗を生じさせるように構成されている。
【００１５】
第４の流路７４は、第３の流路７３の半径方向外方の端部から光軸方向に沿って前方に円筒状に延在するように形成されている。
第４の流路７４は、本実施の形態では、大きな流路断面で形成され、流動抵抗に寄与していない。
第５の流路７５は、第４の流路７４の前端から半径方向外方に環板状に広がるように形成されている。
第５の流路７５は、第１、第３の流路７１、７３と同様に、それらを構成する可動レンズ枠３２の壁面と第１の固定レンズ枠２２の壁面とが近づくにつれて徐々に大きな流動抵抗を生じさせるように構成されている。
第６の流路７６は、第５の流路７５の半径方向外方の端部から光軸方向に沿って傾斜しつつ後方に円錐面上を延在し、可動レンズ枠３２の壁面と第１の固定レンズ枠２２の壁面とが近づくにつれて流路断面が次第に小さくなるように形成されている。
第６の流路７６は、第１、第３の流路７１、７３と、第２の流路７２との中間の機能を奏するものであり、それらを構成する可動レンズ枠３２の壁面と第１の固定レンズ枠２２の壁面とが近づくにつれて、第２の流路７２ほど急激ではなくかつ第１、第３の流路７１、７３よりも急激に流動抵抗が増大するように構成されている。
第７の流路７７は、第６の流路７６の後端から光軸方向に沿って後方に筒状に延在するように形成されている。
第７の流路７７は、第１の固定レンズ２０および可動レンズ３０の半径方向において予め設定された微小な寸法で光軸方向に沿って円筒状に延在形成され、したがって、第２の流路７２と同様に、第１の固定レンズ枠２２と可動レンズ枠３２とが互いに近づいて第７の流路７７が形成されると急激に流動抵抗が増大し、かつ、第７の流路７７が形成された後、流路長が大きくなっても流動抵抗はほとんど変化しない。
第８の流路７８は、第７の流路７７の後端から半径方向外方に環板状に広がるように形成されている。
第８の流路７８は、第１、第３、第５の流路７１、７３、７５と同様に、それらを構成する可動レンズ枠３２の壁面と第１の固定レンズ枠２２の壁面とが近づくにつれて流路断面が次第に減少し、徐々に大きな流動抵抗を生じさせるように構成されている。
そして、第８の流路７８を構成する第１の固定レンズ枠２２の環板状の面２２１０と、第８の流路７８を構成する可動レンズ枠３２の環板状の面３２１０とは、第１の固定レンズ枠２２と可動レンズ枠３２とが近接した際に互いに当接するストッパ面として形成されている。
すなわち、ストッパ面である環板状の面２２１０、３２１０は、流路７０が第１の固定レンズ枠２２と可動レンズ枠３２の半径方向の最も外方に位置する部分に設けられている。
また、本実施の形態では、ストッパ面である環板状の面２２１０、３２１０が当接した状態で、第５の流路７５を構成する第１の固定レンズ枠２２の環板状の面２２１２と、可動レンズ枠３２の環状面３２１２とは、極僅かな隙間を持って対面するように構成され、かつ、可動レンズ３０と第１の固定レンズ２０とはその隙間よりも大きな寸法の隙間を持って対面するように構成されている。
なお、上述の実施の形態では、第１の固定レンズ２０が特許請求の範囲の第１レンズに相当し、可動レンズ３０が特許請求の範囲の第２レンズに相当している。
【００１６】
次に、流路７０の作用について説明する。
図８に示すように、可動レンズ枠３２が第１の固定レンズ枠２２に高速で近接すると、具体的には、図９に示すように、第２の流路７２、第７の流路７７とが形成され始めると、第１の固定レンズ２０と可動レンズ３０の間に介在する空気、および、可動レンズ枠３２と第１の固定レンズ枠２２の間に介在する空気が流路７０を通って逃げようとする。
この際、第２の流路７２、第７の流路７７を通って逃げる空気に急激に流動抵抗が生じ、流路７０に圧力勾配が発生する。
可動レンズ枠３２が第１の固定レンズ枠２２にさらに近接して、第１の流路７１を構成する壁面、第３の流路７３、第５の流路７５を構成する壁面、第６の流路７６を構成する壁面、第８の流路７８を構成する壁面が近接すると、それらの流路７１、７２、７３、７５、７６、７８において流動抵抗が徐々に増大し、第２の流路７２、第７の流路７７の流動抵抗に加えられ、流路７０の圧力勾配がさらに増大する。
そして、流路７０に上述のような圧力勾配が発生すると、可動レンズ枠３２と第１の固定レンズ枠２２との間の内部の圧力が上昇し、可動レンズ３０および可動レンズ枠３２が第１の固定レンズ２０および第１の固定レンズ枠２２に近接する速度が減速される。
やがて、可動レンズ３０および可動レンズ枠３２が減速されたところで、図１０に示すように、ストッパ面を構成する面２２１０、３２１０が緩やかに当接することになり、衝撃が緩和され、衝撃音の発生が防止される。
【００１７】
本実施の形態によれば、撮像装置１００が電源オフとされ、駆動機構５０のコイルに駆動信号が供給されず、可動レンズ枠３２が自由に移動できる状態で使用者が手に持った撮像装置１００を揺り動かしたり、撮像装置１００の姿勢を急に変えたりして、可動レンズ枠３２が第１の固定レンズ枠２２に対して高速で近接しても、流路７０を通る空気の流動抵抗によって可動レンズ３０および可動レンズ枠３２の速度が減速されるため、第１の固定レンズ枠２２と可動レンズ枠３２の衝撃が緩和され衝撃音の発生を効果的に抑制でき、使用者に耳障りな音を与えたり、故障と思わせたりすることを防止する上で有利となる。
また、駆動機構５０によって可動レンズ枠３２が移動される速度は、可動レンズ枠３２が自由に移動できる状態で、使用者が手に持った撮像装置１００を揺り動かしたり、撮像装置１００の姿勢を急に変えたりすることで、可動レンズ枠３２が第１の固定レンズ枠２２に対して高速で近接しようするときの速度に比較して極めて遅いため、流路７０を通る空気の流動抵抗はほとんど無視することができ、可動レンズ枠３２（可動レンズ３０）の移動制御に支障を与えることはない。
したがって、衝撃音の発生を確実に防止しつつ、可動レンズ枠３２（可動レンズ３０）の光軸方向の移動ストロークを確保できるため、レンズ鏡筒１０の光軸方向の小型化を図る上で有利となる。
また、第１の固定レンズ枠３２にゴム製のクッションを設け、可動レンズ枠３２がこのクッションに当接することで衝突音の発生を回避するようにした場合は、ゴム製のクッションの厚み分だけレンズ鏡筒１０の光軸方向の寸法を確保しなければならないが、本実施の形態によれば、そのようなクッションの厚みを考慮する必要が無いため、レンズ鏡筒１０の光軸方向の小型化を図る上で有利である。
また、本実施の形態では、ストッパ面を構成する面２２１０、３２１０は流路７０が半径方向の最も外方に位置する部分に設けられていることから、面２２１０、３２１０が当接する直前において第８の流路７８の流動抵抗を大きくできる。そのため、流路７０の圧力勾配をより高くでき、可動レンズ枠３２と第１の固定レンズ枠２２との間の内部の圧力をより上昇させ、可動レンズ３０および可動レンズ枠３２が第１の固定レンズ２０および第１の固定レンズ枠２２に近接する速度をより減速する上で有利となる。
また、本実施の形態では、ストッパ面を構成する面２２１０、３２１０は、周方向の全周にわたって設けられているので、面２２１０、３２１０が互いに当ったときに受ける力は周方向にわたってほぼ均一に分散されるため、光軸と交差する方向の力（モーメント）が可動レンズ枠３２に作用することを抑制でき、メインガイド軸６０に対して軸受部３４が噛付くことを確実に防止する上で有利となる。
また、本実施の形態では、ストッパ面である環板状の面２２１０、３２１０が当接した状態で、第５の流路７５を構成する第１の固定レンズ枠２２の環板状の面２２１２と、可動レンズ枠３２の環状面３２１２とは、僅かな隙間を持って対面するように形成され、かつ、可動レンズ３０と第１の固定レンズ２０とはその隙間よりも大きな寸法の隙間を持って対面するように形成されている。
したがって、ストッパ面を構成する面２２１０、３２１０が当接した際に、仮に、可動レンズ枠３２が光軸方向に変形したとしても、面２２１２、３２１２が当接し、可動レンズ３０と第１の固定レンズ２０のレンズ面同士が干渉することを防止できる。このため、可動レンズ３０と第１の固定レンズ２０の干渉を確実に防止しつつ、レンズ鏡筒１０の光軸方向の寸法を縮小する上で有利となる。
また、本実施の形態では、第２の流路７２、第７の流路７７が形成されると同時に急激に流動抵抗が増大し、いったん第２、第７の流路７２、７７が形成された後、第１の固定レンズ枠２２と可動レンズ枠３２とがさらに近づいてもその流動抵抗がほとんど変化しない状態で維持され、流路７０を通る空気の流動抵抗が増大した状態を維持できる。
したがって、比較的長いストークにわたって可動レンズ３０および可動レンズ枠３２の速度を減速させ続けることができるため、可動レンズ３０および可動レンズ枠３２の速度をより確実に減速して第１の固定レンズ枠２２と可動レンズ枠３２の衝撃を確実に緩和し衝撃音の発生をより効果的に抑制する上で有利となる。
【００１８】
また、可動レンズ３０と可動レンズ枠３２が第１の固定レンズ２０と第１の固定レンズ枠２２との間に介在している空気の圧力によって受ける力Ｆは、可動レンズ３０と可動レンズ枠３２が空気に触れている面の面積Ｓと単位面積当たりの圧力Ｐとの積ＳＰとなる。
本実施の形態では、第１の固定レンズ２０と可動レンズ３０との間の内部で上昇した空気の圧力が第１の固定レンズ２０と可動レンズ３０で形成される広い面積に作用するため、より大きな力を可動レンズ枠３２に与えることができる。したがって、可動レンズ３０および可動レンズ枠３２が第１の固定レンズ２０および第１の固定レンズ枠２２に近接する速度を減速する上でより有利となる。
【００１９】
次に流路８０について説明する。
図１１に示すように、流路８０は、第２の固定レンズ枠２２が可動レンズ枠３２に臨む箇所と、可動レンズ枠３２が第１の固定レンズ枠２２に臨む箇所に、互いに近接してそれらの間に介在した空気を逃がす際に空気の流動抵抗を生じさせるように設けられている。
流路８０は、第２の固定レンズ枠４２と可動レンズ枠３２が互いに近接した際に、第２の固定レンズ４０と可動レンズ３０との間に介在した空気も通過するように設けられている。
流路８０は、第２の固定レンズ枠４２が可動レンズ枠３２に臨む箇所と、可動レンズ枠３２が第２の固定レンズ枠４２に臨む箇所において、第２の固定レンズ４０および可動レンズ３０の光軸方向に前進および後進を繰り返しつつ第２の固定レンズ４０の外周部の全周から第２の固定レンズ４０および可動レンズ３０の半径方向外方に延在している。
詳細に説明すると、流路８０は、第１乃至第４の流路８１、８２、８３、８４を含んで構成され、それら流路は、流路７０を構成する第１乃至第８の流路７１、７２、７３、７４、７５、７６、７７、７８と同様であるので簡略して説明する。
第１の流路８１は、第２の固定レンズ枠４２が可動レンズ枠３２に臨む箇所と、可動レンズ枠３２が第２の固定レンズ枠４２に臨む箇所において、第２の固定レンズ４０の外周部の全周から第２の固定レンズ４０および可動レンズ３０の半径方向外方に環板状に広がるように形成されている。
第１の流路８１は、それらを構成する可動レンズ枠３２の壁面と第２の固定レンズ枠４２の壁面とが近づくにつれて徐々に大きな流動抵抗を生じさせるように構成されている。
第２の流路８２は、第１の流路８１の半径方向外方の端部から光軸方向に沿って傾斜しつつ後方に円錐面上を延在するように形成されている。
第２の流路８２は、前述した第６の流路７６と同様の機能を奏するものであり、それらを構成する可動レンズ枠３２の壁面と第２の固定レンズ枠４２の壁面とが近づくにつれて、第２の流路８２ほど急激ではなくかつ第３の流路８３よりも急激に流動抵抗が増大するように構成されている。
第３の流路８３は、第２の流路８２の半径方向外方の端部から光軸方向に沿って後方に円筒状に延在するように形成されている。
第３の流路８３は、第２の固定レンズ４０および可動レンズ３０の半径方向において予め設定された微小な寸法で光軸方向に沿って円筒状に延在形成され、したがって、第２の固定レンズ枠４２と可動レンズ枠３２とが互いに近づいて第３の流路８３が形成されると、第３の流路８３を通る空気の流速が急激に増大することで流動抵抗が急激に増大し、かつ、第３の流路８３が形成された後、流動抵抗はほとんど変化しないように形成されている。
第４の流路８４は、第３の流路８３の後端から半径方向外方に環板状に広がるように形成されている。
第４の流路８４は、第１の流路８１と同様に、それらを構成する可動レンズ枠３２の壁面と第２の固定レンズ枠４２の壁面とが近づくにつれて徐々に大きな流動抵抗を生じさせるように構成されている。
そして、図８に示すように、第４の流路８４を構成する第２の固定レンズ枠４２の環板状の面４２２０と、第４の流路８４を構成する可動レンズ枠３２の環板状の面３２２０とは、第２の固定レンズ枠４２と可動レンズ枠３２とが近接した際に互いに当接するストッパ面として形成されている。
すなわち、ストッパ面である環板状の面４２２０、３２２０は、流路８０が第２の固定レンズ枠４２と可動レンズ枠３２の半径方向の最も外方に位置する部分に設けられている。
また、本実施の形態では、ストッパ面である環板状の面４２２０、３２２０が当接した状態で、第１の流路８１を構成する第２の固定レンズ枠４２の環板状の面４２２２と、可動レンズ枠３２の環状面３２２２とは、極僅かな隙間を持って対面するように構成され、かつ、可動レンズ３０と第２の固定レンズ４０とはその隙間よりも大きな寸法の隙間を持って対面するように構成されている。
このような流路８０を設けることによって、可動レンズ３０および可動レンズ枠３２の速度を減速し、第２の固定レンズ枠４２と可動レンズ枠３２の衝撃が緩和され衝撃音の発生を効果的に抑制でき、上述した流路７０の場合と同様の作用効果が奏される。
なお、上述の実施の形態では、第２の固定レンズ４０が特許請求の範囲の第１レンズに相当し、可動レンズ３０が特許請求の範囲の第２レンズに相当している。
【００２０】
（第２の実施の形態）
図１２、図１３は第２の実施の形態における流路７０の構成を示す説明図である。
第２の実施の形態では、第１の実施の形態における流路７０の第６流路７６の流路長を大きくし、第７流路７７を省略したものである。
図１２、図１３に示すように、第６の流路７６は、第５の流路７５の半径方向外方の端部から光軸方向に沿って傾斜しつつ後方に円錐面上を延在するように形成されている。
第６の流路７６は、第１、第３の流路７１、７３と、第２の流路７２との中間の機能を奏するものであり、それらを構成する可動レンズ枠３２の壁面と第１の固定レンズ枠２２の壁面とが近づくにつれて、第２の流路７２ほど急激ではなくかつ第１、第３の流路７１、７３よりも急激に流動抵抗が増大するように構成されている。
第２の実施の形態では、第７流路７７を省略して第６の流路７６を残したので、流路７０を構成する可動レンズ枠３２の壁面と第１の固定レンズ枠２２の壁面とが近づいた際に、第１の実施の形態よりも、流動抵抗の増大が緩やかになる。
【００２１】
（第３の実施の形態）
図１４は第３の実施の形態における流路の構成を示す説明図である。
第１、第２の実施の形態では、第１の固定レンズ２０および可動レンズ３０の外周部から半径方向外方の全長にわたって流路７０を形成していたのに対し、第３の実施の形態では、第１の固定レンズ２０および可動レンズ３０の外周部から半径方向外方に至る箇所の一部分に流路を形成したものである。
第１の固定レンズ枠２２の第１固定レンズ２０の外周部から半径方向外方に離れた箇所に、第１の固定レンズ２０の光軸を中心とする環状の凹部９０が形成され、この凹部９０は環板状の底面９００２と、底面９００２の両側から起立し互いに向かい合う筒状の内側面９００４と外側面９００６を有している。
一方、可動レンズ枠３２の前記凹部９０に対向する箇所には、凹部９０に挿入可能な環状の突出壁９２が形成され、この突出壁９２は内周面９２０４と外周面９２０６と先端面９２０２とを有している。
第１固定レンズ枠２２に対して可動レンズ枠３２が近づくと、突出壁９２が凹部９０に挿入される。
そのとき底面９００２と先端面９２０２とで空気が凹部９０内の空間Ｓに閉じ込められ、内側面９００４と内周面９２０４との間に、第１の固定レンズ２０、可動レンズ３０の光軸を中心とする円筒状の隙間が形成され、また、外側面９００６と外周面９２０６との間に、第１の固定レンズ２０、可動レンズ３０の光軸を中心とする円筒状の隙間が形成され、それら隙間は、第１の固定レンズ２０、可動レンズ３０の半径方向において所定の寸法に設定されており、それら隙間により流路９４Ａ，９４Ｂが形成される。
したがって、第１の固定レンズ枠２２と可動レンズ枠３２とが互いに近づいて流路９４Ａ，９４Ｂが形成されると、凹部９０内で底面９００２と先端面９２０２とで挟まれた空気が流路９４Ａ，９４Ｂから凹部９０の外部に逃げようとし、このとき流動抵抗が発生して急激に増大し、かつ、流路９４Ａ，９４Ｂが形成された後、流動抵抗はほとんど変化しない。
すなわち、第３の実施の形態では、第１固定レンズ枠２２に対して可動レンズ枠３２が近づいて突出壁９２が凹部９０に挿入されると、流路９４Ａ，９４Ｂが形成され、底面９００２と先端面９２０２との間の空間Ｓに閉じ込められた空気が流路９４Ａ，９４Ｂから空間Ｓ外に逃げようとし、その際に流路９４Ａ，９４Ｂにおいて急激に流動抵抗が増大し、流路９４Ａ，９４Ｂにおける圧力勾配が大きくなる。
そして、流路９４Ａ，９４Ｂに圧力勾配が発生すると、空間Ｓの圧力が上昇し、可動レンズ３０および可動レンズ枠３２が第１の固定レンズ２０および第１の固定レンズ枠２２に近接する速度が減速され、衝撃が緩和されることになり、衝撃音の発生が防止される。
【００２２】
（第４の実施の形態）
図１５は第４の実施の形態におけるレンズ鏡筒の断面図である。
第４の実施の形態では、可動レンズ３０の半径方向の最も外側に位置する可動レンズ枠３２部分と、可動環１２の内周面１２１０との間に流路９６を形成したものである。
すなわち、第４の実施の形態では、可動レンズ３０と可動レンズ枠３２とは気密に結合され、可動レンズ３０と可動レンズ枠３２とはあたかも一体の部材として形成され、可動レンズ３０および可動レンズ枠３２が第１の固定レンズ２０および第１の固定レンズ枠２２方向に移動すると、それらの間に空気が閉じ込められ、また、可動レンズ３０および可動レンズ枠３２が第２の固定レンズ４０および第２の固定レンズ枠４２方向に移動すると、それらの間に空気が閉じ込められ、可動レンズ枠３２の外周部３２５０に、可動環１２の内周面１２１０に臨む外周面３２５０が形成されている。
内周面１２１０と外周面３２５０との間の隙間は、駆動機構５０のコイルに駆動信号が供給されず可動レンズ枠３２が自由に移動できる状態で撮像装置１００が揺り動かされるなどして可動レンズ枠３２が急激に（高速で）移動した際に流動抵抗を生じさせるとともに、駆動機構５０によって可動レンズ枠３２が移動される時には前記流動抵抗を生ぜず円滑に移動できる寸法で設定されている。
このような第４の実施の形態によっても可動レンズ枠３２が第１の固定レンズ２０および第２の固定レンズ枠４２に近接する速度が減速され、衝撃が緩和されることになり、衝撃音の発生が防止される。
【００２３】
なお、本実施の形態では、撮像装置としてデジタルスチルカメラを用いて説明したが、本発明は、ビデオカメラ、その他種々の撮像装置に適用可能である。
【図面の簡単な説明】
【００２４】
【図１】第１の実施の形態の撮像装置の斜視図である。
【図２】第１の実施の形態の撮像装置の構成を示すブロック図である。
【図３】レンズ鏡筒１０の一部を示す斜視図である。
【図４】図３の断面図である。
【図５】可動レンズ枠、駆動機構、後側の固定レンズ枠の構成を示す斜視図である。
【図６】可動レンズ枠、駆動機構、後側の固定レンズ枠の構成を示す斜視図である。
【図７】可動レンズ枠、駆動機構の構成を示す斜視図である。
【図８】第１の固定レンズ枠２２に可動レンズ枠３２が近接した状態を示す説明図である。
【図９】流路７０の構成を示す説明図である。
【図１０】図１０は第１の固定レンズ枠２２に可動レンズ枠３２が当接した状態を示す説明図である。
【図１１】第２の固定レンズ枠４２に可動レンズ枠３２が近接した状態を示す説明図である。
【図１２】第２の実施の形態における流路７０の構成を示す説明図である。
【図１３】第２の実施の形態における流路７０の構成を示す説明図である。
【図１４】第３の実施の形態における流路の構成を示す説明図である。
【図１５】第４の実施の形態におけるレンズ鏡筒の断面図である。
【符号の説明】
【００２５】
１０……撮像装置、１２……レンズ鏡筒、２０……第１の固定レンズ、２２……第１の固定レンズ枠、３０……可動レンズ、３２……可動レンズ枠、４０……第２の固定レンズ、４２……第２の固定レンズ枠、７０、８０、９４Ａ、９４Ｂ、９６……流路、１０４……撮影光学系、１１６……撮像素子。
【図１】
2006349737.tif 000003
【図２】
2006349737.tif 000004
【図３】
2006349737.tif 000005
【図４】
2006349737.tif 000006
【図５】
2006349737.tif 000007
【図６】
2006349737.tif 000008
【図７】
2006349737.tif 000009
【図８】
2006349737.tif 000010
【図９】
2006349737.tif 000011
【図１０】
2006349737.tif 000012
【図１１】
2006349737.tif 000013
【図１２】
2006349737.tif 000014
【図１３】
2006349737.tif 000015
【図１４】
2006349737.tif 000016
【図１５】
2006349737.tif 000017